(57)【要約】【課題】  ぐらつき対策を施した電子機器を提供する。【解決手段】  電子機器は、第１カバーおよび第２カバーを有した第１ケースと、前記第１ケースと分離して設けられるとともに、表示パネルが収められた第２ケースと、前記第１ケースに固定された第１固定部と、前記第２ケースに固定された第２固定部と、を有するとともに、前記第１ケースと前記第２ケースとを回動可能に連結した第１ヒンジ部と、前記第１固定部に固定可能であるとともに、前記第１カバーの内面と前記第２カバーの内面とにそれぞれ隙間を有した位置で前記第１ケースに収められた第１補強板と、を備え、前記第１ケースは、電子部品が収められた第１収容部と、前記第１収容部から突出された外形を有し、前記第１固定部が収められた第２収容部と、を含み、前記第１補強板は、前記第１収容部と、前記第２収容部との両方にまたがった。【選択図】図５
2012137884.tif 000002
【特許請求の範囲】
【請求項１】
第１カバーおよび第２カバーを有した第１ケースと、
前記第１ケースと分離して設けられるとともに、表示パネルが収められた第２ケースと、
前記第１ケースに固定された第１固定部と、前記第２ケースに固定された第２固定部と、を有するとともに、前記第１ケースと前記第２ケースとを回動可能に連結した第１ヒンジ部と、
前記第１固定部に固定可能であるとともに、前記第１カバーの内面と前記第２カバーの内面とにそれぞれ隙間を有した位置で前記第１ケースに収められた第１補強板と、
を備え、
前記第１ケースは、電子部品が収められた第１収容部と、前記第１収容部から突出された外形を有し、前記第１固定部が収められた第２収容部と、を含み、
前記第１補強板は、前記第１収容部と、前記第２収容部との両方にまたがった電子機器。
【請求項２】
前記第１ケースは、前記第１カバーおよび前記第２カバーからそれぞれ突出した第１ボス対を有し、
前記第１固定部および前記第１補強板は、前記第１ボス対の間に挟まれた状態で第１固定部材によって前記第１ケースに固定された請求項１に記載の電子機器。
【請求項３】
前記第１ヒンジ部は、前記第１固定部と前記第２固定部との間に設けられた第１軸部を有し、
前記第１補強板は、第１曲げ部を有し、前記第１曲げ部は、前記第１ボス対の近傍で前記第１軸部と交差する方向に延びた請求項２に記載の電子機器。
【請求項４】
前記第１ケースは、前記第１カバーおよび前記第２カバーからそれぞれ突出する複数の第２ボス対を有し、前記第１補強板は、前記各第２ボス対の間に挟みこまれた状態で第２固定部材によって前記第１ケースに固定され、
前記第２ボス対のうち少なくとも一つは、前記第１収容部に設けられた請求項３に記載の電子機器。
【請求項５】
前記第１ケースの内側に収められたメモリカードスロットをさらに備え、
前記第１補強板は、重複部を有し、前記重複部は、厚み方向において前記メモリカードスロットと重複した請求項４に記載の電子機器。
【請求項６】
前記第１カバーおよび前記第２カバーの少なくとも一方は、その内面に補強用のリブを有し、前記補強用のリブは、前記第２収容部と、前記第１収容部との両方にまたがった請求項５に記載の電子機器。
【請求項７】
前記第１補強板は、ステンレス鋼製である請求項６に記載の電子機器。
【請求項８】
前記第１ケースに固定された第３固定部と、前記第２ケースに固定された第４固定部と、前記第３固定部と前記第４固定部との間に設けられた第２軸部と、を有するとともに、前記第１ケースと前記第２ケースとを回動可能に連結した第２ヒンジ部と、
前記第３固定部と一体に設けられた第２補強板と、
をさらに備え、
前記第１ケースは、
前記第１カバーおよび前記第２カバーからそれぞれ突出した第３ボス対と、
前記第１カバーおよび前記第２カバーからそれぞれ突出する第４ボス対と、
を有し、
前記第３固定部は、前記第３ボス対の間に挟まれた状態で第３固定部材によって前記第１ケースに固定され、
前記第２補強板は、前記第４ボス対の間に挟みこまれた状態で第４固定部材によって前記第１ケースに固定される請求項７に記載の電子機器。
【請求項９】
前記第４ボス対は、前記第３ボス対の近傍に設けられ、
前記第２の補強板は、第２曲げ部を有し、前記第２曲げ部は、前記第３ボス対と前記第４ボス対の間の位置で前記第２軸部と交差する方向に延びた請求項８に記載の電子機器。
【請求項１０】
第１部分および第２部分を有した第１筐体と、
前記第１筐体と分離して設けられるとともに、表示パネルが収められた第２筐体と、
前記第１筐体に固定された第１固定部と、前記第２ケースに固定された第２固定部と、を有するとともに、前記第１筐体と前記第２筐体とを回動可能に連結した連結部と、
前記第１固定部に対して一体的に固定可能であるとともに、前記第１部分および前記第２部分に対してそれぞれ隙間を設けて前記第１ケースに収められた第１補強板と、
を備える電子機器。
【発明の詳細な説明】
【技術分野】
【０００１】
本発明の実施形態は、ディスプレイユニットを有した電子機器に関する。
【背景技術】
【０００２】
例えば、電子機器において、キーボードを有する本体ユニットに対して、液晶パネルを有したディスプレイユニットが回動可能であるものが存在する。
【先行技術文献】
【特許文献】
【０００３】
【特許文献１】特開２００３−２９２４１号公報
【発明の概要】
【発明が解決しようとする課題】
【０００４】
このような電子機器では、ディスプレイユニットがぐらつくことが多く、ディスプレイユニットのぐらつきに対する改良へのニーズが存在していた。
【０００５】
本発明は、ぐらつき対策を施した電子機器を提供することを目的とする。
【課題を解決するための手段】
【０００６】
実施形態の電子機器は、第１カバーおよび第２カバーを有した第１ケースと、前記第１ケースと分離して設けられるとともに、表示パネルが収められた第２ケースと、前記第１ケースに固定された第１固定部と、前記第２ケースに固定された第２固定部と、を有するとともに、前記第１ケースと前記第２ケースとを回動可能に連結した第１ヒンジ部と、前記第１固定部に固定可能であるとともに、前記第１カバーの内面と前記第２カバーの内面とにそれぞれ隙間を有した位置で前記第１ケースに収められた第１補強板と、を備え、前記第１ケースは、電子部品が収められた第１収容部と、前記第１収容部から突出された外形を有し、前記第１固定部が収められた第２収容部と、を含み、前記第１補強板は、前記第１収容部と、前記第２収容部との両方にまたがった。
【図面の簡単な説明】
【０００７】
【図１】第１の実施形態にかかる電子機器の一例であるポータブルコンピュータを示した斜視図。
【図２】図１に示すポータブルコンピュータの第１ケースを示した上面図。
【図３】図２に示すＦ３−Ｆ３線に沿った断面図。
【図４】図１に示すポータブルコンピュータの第１ケース（本体ユニット）の内部を示した斜視図。
【図５】図４に示す第１ケース（本体ユニット）の内部を拡大して示した斜視図。
【図６】図４に示す第１ケース（本体ユニット）の内部を拡大して示した斜視図。
【図７】図６に示すＦ７−Ｆ７線に沿った断面図。
【図８】図１に示すポータブルコンピュータの第１ケース（本体ユニット）を示した下面図。
【図９】図８に示すＦ９−Ｆ９線に沿った断面図。
【図１０】本実施形態の第１補強板を採用する前の応力の評価結果を示した斜視図。
【図１１】本実施形態の第１補強板を採用した後の応力の評価結果を示した斜視図。
【図１２】第２の実施形態にかかる電子機器の一例であるポータブルコンピュータの第１ケースの第２部分を示した上面図。
【発明を実施するための形態】
【０００８】
以下、図１から図１１を参照して、電子機器の一例であるポータブルコンピュータの実施形態について説明する。
【０００９】
図１に示すように、ポータブルコンピュータ１１は、本体ユニット１２と、本体ユニット１２に対して覆い被さったり、本体ユニット１２に対して起立したり可能なディスプレイユニット１３と、本体ユニット１２とディスプレイユニット１３との間に設けられた第１ヒンジ部（連結部）１４および第２ヒンジ部（連結部）１５と、を有している。第１ヒンジ部１４および第２ヒンジ部１５は、第１ケース３２と第２ケース２８とを回動可能に連結している。
【００１０】
図２、図４に示すように、第１ヒンジ部１４は、本体ユニット１２の後述する第１ケース３２に固定された第１固定部２１と、ディスプレイユニット１３の後述する第２ケース２８に固定された第２固定部２２と、第１固定部２１と第２固定部２２との間に設けられた第１軸部２３と、を有している。第１固定部２１、第２固定部２２、第１軸部２３は、それぞれ炭素鋼で形成されている。第１固定部２１には、後述する第１固定部材４１を通すための貫通孔が設けられている。
【００１１】
第２ヒンジ部１５は、本体ユニット１２の第１ケース３２に固定された第３固定部２４と、ディスプレイユニット１３の第２ケース２８に固定された第４固定部２５と、第３固定部２４と第４固定部２５との間に設けられた第２軸部２６と、を有している。第３固定部２４、第４固定部２５、第２軸部２６は、それぞれ炭素鋼で形成されている。
【００１２】
図１に示すように、ディスプレイユニット１３は、表示パネル２７（表示装置）と、表示パネル２７の周囲を取り囲んだ第２ケース（第２筐体）２８と、表示パネル２７の表面に設けられたタッチパネル３１（タブレット）を備えている。表示パネル２７は、例えば、液晶ディスプレイパネルで構成されている。本実施形態では、タッチパネル３１が設けられている分だけ、タッチパネル３１を持たないポータブルコンピュータ１１に比してディスプレイユニット１３の重量が大きくなっている。このため、本実施形態のポータブルコンピュータ１１では、タッチパネル３１のないポータブルコンピュータに比して、ディスプレイユニット１３の開閉時などに、ディスプレイユニット１３の振動を生じ易い。
【００１３】
第２ケース（第２筐体）２８は、表示パネル２７の前面を覆うとともに枠状をなしたマスク２８Ａと、表示パネルの後面を覆ったカバー２８Ｂと、を含んでいる。第２ケース２８は、第１ケース３２とは分離して設けられている。
【００１４】
図１から図４、図７、図８に示すように、本体ユニット１２は、例えば、外殻をなした第１ケース（第１筐体）３２と、第１ケース３２に取り付けられたキーボード３３およびタッチパッド３４と、第１ケース３２の内部に収められたプリント回路板３５（マザーボード）と、第１ヒンジ部１４の第１固定部２１に対して一体的に固定可能である第１補強板３６と、第２ヒンジ部１５の第３固定部２４と一体に設けられた第２補強板３７と、第１ケース３２の内部に収められたメモリカードスロット３８と、第１〜第４の固定部材４１〜４４と、を備えている。プリント回路板３５には、ポータブルコンピュータ１１の全体を統括的に制御するためのＣＰＵ等の電子部品３５Ａが設けられている。
【００１５】
メモリカードスロット３８は、本実施形態では例えば、ＰＣカード用のスロットであるＰＣカードスロット構成されているが、これに限定されるものではない。メモリカードスロット３８は、他の種類のフラッシュメモリ等のスロットでもよい。メモリカードスロット３８は、本実施形態では、枠のみで構成されており、軽量化が図られている。また、メモリカードスロット３８は、天板を省略されており、天板の位置には、図示しない合成樹脂製の絶縁シートが１枚設けられている。
【００１６】
また、第１ケース３２および第２ケース２８によって、ポータブルコンピュータ１１の筐体１６が構成される。第１ケース３２および第２ケース２８は、それぞれ例えば、マグネシウム合金で形成されているが、例えば合成樹脂製であってもよい。第１〜第４固定部材４１〜４４は、それぞれねじで構成される。また、本実施形態において、第２固定部材４２は、２本で構成される。
【００１７】
図１に示すように、第１ケース（第１筐体）３２は、本体ユニット１２の厚み方向ｔにおける上半分を構成する第１部分（第１カバー）４５と、本体ユニット１２の厚み方向ｔにおける下半分を構成する第２部分（第２カバー）４６と、を有している。第１ケース３２は、厚み方向ｔにおいて第１部分４５および第２部分４６を互いに突き合わせて構成されている。
【００１８】
図１、図２に示すように、また、第１ケース３２は、キーボード３３等が取り付けられた第１収容部４７と、第１収容部４７から突出する一対の第２収容部４８と、第２収容部４８同士の間に設けられた切欠部４９と、を有している。この切欠部４９にバッテリパック１７が着脱可能に取り付けられている。図４に示すように、第２収容部４８の一方には、第１ヒンジ部１４の第１固定部２１が収められ、第２収容部４８の他方には、第２ヒンジ部１５の第３固定部２４が収められている。このように、本実施形態のポータブルコンピュータ１１では、切欠部４９が設けられるため、第２収容部４８において強度低下を生じ易く、第２ケース２８の防振対策が重要になっている。
【００１９】
図４から図６に示すように、第１ケース３２は、第１部分（第１カバー）４５および第２部分（第２カバー）４６の内面からそれぞれ突出した第１から第４のボス対５１〜５４を有している。第１ケース３２の第２部分４６の内面には、３個一組の補強用のリブ５５が複数組設けられている。補強用のリブ５５は、例えば、ポータブルコンピュータ１１の前後方向に沿って延びている。補強用のリブ５５によって、第２部分４６の強度が向上されている。
【００２０】
図５に示すように、第１ボス対５１は、第１ケース３２の第２収容部４８の内側で、第２収容部４８の最も先端部５６寄りの位置に設けられている。また、第２ボス対５２は、複数で構成されており、本実施形態では、例えば２組で構成されている。第２ボス対５２のうち、一方５２Ａは、第２収容部４８の付け根の位置に設けられている。第２ボス対５２のうち、他方５２Ｂは、第１ケース３２の第１収容部４７の内側で、第１ケース３２の外縁部３２Ａの近傍に設けられている。
【００２１】
図６に示すように、第３ボス対５３は、第１ケース３２の第２収容部４８の内側で、第２収容部４８の最も先端部５６寄りの位置に設けられている。第４ボス対５４は、第３ボス対５３の近傍に設けられている。第４ボス対５４は、第１ケース３２の第２収容部４８の内側で、第１ケース３２の外縁部３２Ａの近傍に設けられている。
【００２２】
図５に示すように、第１補強板３６は、例えば、炭素鋼よりも軽量で加工性の良好なステンレス鋼によって、略平板状に形成されている。第１補強板３６は、第１ケース３２の第２収容部４８と、第１収容部４７との両方にまたがるように設けられている。図９に示すように、第１補強板３６は、第１部分４５および第２部分４６に対してそれぞれ隙間を有して第１ケース３２に収められている。
【００２３】
図５、図９に示すように、第１補強板３６は、第１固定部２１と一体的に固定可能な第１接続部６１と、第１接続部６１とは反対側の端部に設けられた第２接続部６２と、第１接続部６１と第２接続部６２との略中間位置に設けられた第３接続部６３と、第１接続部６１と第３接続部６３との間の位置に設けられた第１曲げ部６４と、第２接続部６２と第３接続部６３との間に設けられた第１段部６５および第２段部６６と、厚み方向ｔにおいてメモリカードスロット３８と重複した略方形の重複部６７と、を有している。第１〜第３の接続部６１〜６３には、それぞれ第１〜第３の固定部材４１〜４３を通すための貫通孔が設けられている。また、第２接続部６２には、絞り加工部が設けられており、周囲よりも高さが高くなっている。第１補強板３６は、第３接続部６３の絞り加工部、第１曲げ部６４、第１段部６５、および第２段部６６を有しており、応力の集中し易い第１、第２のボス対５１、５２付近を補強する形状をなしている。
【００２４】
第１曲げ部６４は、第１ボス対５１の近傍に設けられており、第１軸部２３と交差する方向に延びている。第１ヒンジ部１４の第１固定部２１および第１補強板３６の第１接続部６１は、第１ボス対５１の間に挟まれた状態で、第１固定部材４１によって第１ケース３２に固定されている。第２接続部６２および第３接続部６３は、それぞれ第２ボス対５２の間に挟まれた状態で、第２固定部材４２によって第１ケース３２に固定されている。
【００２５】
重複部６７には、位置決め用の第１孔部６７Ａと、仮止め用の第２孔部６７Ｂと、を有している。第１孔部６７Ａの内側には、第１ケース３２の第１部分４５から突出した位置決めピンが通される。また、第２孔部６７Ｂの内側には、仮固定用の仮固定ねじ６８が通されて、第１補強板３６を第１ケース３２の第１部分４５に仮固定することができる（図８参照）。また、重複部６７は、メモリカードの位置を規制することができる。このため、例えば、ユーザがメモリカードを抜き差しする際に、メモリカードに抜き差し方向とは直交する方向に力が加えられた場合でも、メモリカードスロット３８が変形してしまうことを防止できる。このため、メモリカードスロット３８には、上記のように天板が省略されている。
【００２６】
図６、図７に示すように、第２ヒンジ部１５の第３固定部２４には、第４接続部７１が設けられている。第４接続部７１には、第３固定部材４３を通すための貫通孔が設けられている。第４接続部７１は、それぞれ第３ボス対５３の間に挟まれた状態で、第３固定部材４３によって第１ケース３２に固定されている。
【００２７】
第２補強板３７は、第３固定部２４と一体で、第１補強板３６よりも小さく形成されている。第２補強板３７は、第２ヒンジ部１５の各部と同様に炭素鋼で形成されている。第２補強板３７は、第３固定部２４と隣接する位置とは反対側の端部に設けられた第５接続部７２と、第３ボス対５３と第４ボス対５４の間の位置に設けられた第２曲げ部７３と、を有している。第５接続部７２には、第４固定部材４４を通すための貫通孔が設けられている。第５接続部７２は、第４ボス対５４の間に挟まれた状態で、第４固定部材４４によって第１ケース３２に固定されている。
【００２８】
第２曲げ部７３は、第４ボス対５４の近傍に設けられている。第２曲げ部７３は、第３ボス対５３と第４ボス対５４の間の位置で、第２軸部２６と交差する方向に延びている。
【００２９】
続いて、図１０、図１１を参照して、本実施形態の第１補強板３６を採用する前と後において、第１ケース３２にかかる応力を評価した結果について説明する。図１０に示すように、第１補強板３６を採用する前では、第１ヒンジ部１４にかかる最大応力値を１００としたときに、第２収容部４８の第１ボス対５１付近では、３３の応力値が検知された。また、第２収容部４８の先端部５６付近では、４４の応力値が検知された。
【００３０】
これに対して、図１１に示すように、本実施形態の第１補強板３６を適用した後は、第１ヒンジ部１４にかかる最大応力値を１００としたときに、第２収容部４８の第１ボス対５１付近では、２２の応力値が検知され、第１補強板３６の適用前に比して応力値の明らかな低下が見られた。また、第２収容部４８の先端部５６の近傍では、３３の応力値が検知され、この地点でも第１補強板３６の適用前に比して応力値の明らかな低下が見られた。以上の評価結果から、第１補強板３６によって、第１ケース３２の第１収容部４７および第２収容部４８に作用する応力が低減された。その結果、第１補強板３６の採用によって、第２ケース２８（ディスプレイユニット１３）のぐらつきの防止を実現された。
【００３１】
なお、第２補強板３７の採用の前後における評価結果については省略しているが、第２補強板３７は、第１補強板３６と一緒に用いられることで、第２ケース２８（ディスプレイユニット１３）の防振に補助的に貢献することが確認された。
【００３２】
第１の実施形態によれば、ポータブルコンピュータ１１は、第１カバー４５および第２カバー４６を有した第１ケース３２と、第１ケース３２と分離して設けられるとともに、表示パネル２７が収められた第２ケース２８と、第１ケース３２に固定された第１固定部２１と、第２ケース２８に固定された第２固定部２２と、を有するとともに、第１ケース３２と第２ケース２８とを回動可能に連結した第１ヒンジ部１４と、第１固定部２１に固定可能であるとともに、第１カバー４５の内面と第２カバー４６の内面とにそれぞれ隙間を有した位置で第１ケース３２に収められた第１補強板３６と、を備え、第１ケース３２は、電子部品が収められた第１収容部４７と、第１収容部４７から突出するとともに、第１固定部２１が収められた第２収容部４８と、を含み、第１補強板３６は、第１収容部４７と、第２収容部４８との両方にまたがっている。
【００３３】
この構成によれば、第１補強板３６が第１カバー４５および第２カバー４６に対してそれぞれ隙間を有して第１ケース３２に収められるため、第２ケース２８が振動した際には、第１部分４５および第２部分４６からそれぞれ離間した第１補強板３６のほうに積極的に応力を逃がし、その結果、第１ケース３２の第２収容部４８には極力応力が伝わらないようにできる。これによって、第１補強板３６においてむしろ積極的に変形を生じさせて、主として第１補強板３６において応力を吸収することができる。このため、第１ケース３２の第２収容部４８が全体として撓んでしまうようなことがなく、その結果、第２ケース２８がぐらつくことを防止できる。また、この構成によれば、第１補強板３６が第１収容部４７と第２収容部４８との両方にまたがっているため、第２収容部４８において集中する応力を第１収容部４７のほうに逃がすことができる。これによって、第２ケース２８のぐらつきを防止して、製品に高級感を持たせることができる。
【００３４】
この場合、第１ケース３２は、第１カバー４５および第２カバー４６からそれぞれ突出した第１ボス対５１を有し、第１固定部２１および第１補強板３６は、第１ボス対５１の間に挟まれた状態で第１固定部材４１によって固定された。この構成によれば、第１ケース３２の第１カバー４５および第２カバー４６の両方に第１固定部２１および第１補強板３６が固定されるため、第１固定部２１および第１補強板３６を強固に支持することができる。
【００３５】
また、第１ヒンジ部１４は、第１固定部２１と第２固定部２２との間に設けられた第１軸部２３を有し、第１補強板３６は、第１曲げ部６４を有し、第１曲げ部６４は、第１ボス対５１の近傍で第１軸部２３と交差する方向に延びる。この構成によれば、第１軸部２３周りに生ずる応力について、強度の高い第１曲げ部６４において十分に受けることができる。これによって、第１ケース３２の他の部分に応力が拡散することがなく、第２ケース２８のぐらつきを低減できる。
【００３６】
また、第１ケース３２は、第１カバー４５および第２カバー４６からそれぞれ突出する複数の第２ボス対５２を有し、第１補強板３６は、各第２ボス対５２の間に挟みこまれた状態で第２固定部材４２によって第１ケース３２に固定され、第２ボス対５２のうち少なくとも一つは、第１収容部４７に設けられている。この構成によれば、第１補強板３６で受けた応力を第２ボス対５２を介して第１ケース３２の第１収容部４７に逃がすことができる。これによって、第１ケース３２の第２収容部４８において応力が集中してしまうことがなく、第２ケース２８のぐらつきを防止することができる。
【００３７】
ポータブルコンピュータ１１は、第１ケース３２の内側に収められたメモリカードスロット３８をさらに備え、第１補強板３６は、厚み方向ｔにおいてメモリカードスロット３８と重複した重複部６７を有した。この構成によれば、天板を省略するなど、メモリカードスロット３８を簡素な構成とすることができ、電子機器の軽量化を図ることができる。また、天板の代わりに第１補強板３６を設けることで、第２ケース２８（ディスプレイユニット１３）のぐらつきを防止できる。
【００３８】
第１補強板３６は、ステンレス鋼製である。この構成によれば、第１補強板３６を炭素鋼で形成する場合に比して、例えば、絞り部を形成するなど加工性を良好にしてレイアウトの自由度を向上できるとともに、電子機器全体として軽量化を図ることができる。また、第１ヒンジ部１４の第１固定部２１よりも剛性の低い材料を使用することで、第１補強板３６においてむしろ積極的に変形を生じさせて、主として第１補強板３６において応力を吸収させることができる。
【００３９】
また、第１ケース３２に固定された第３固定部２４と、第２ケース２８に固定された第４固定部２５と、第３固定部２４と第４固定部２５との間に設けられた第２軸部２６と、を有するとともに、第１ケース３２と第２ケース２８とを回動可能に連結した第２ヒンジ部１５と、第３固定部２４と一体に設けられた第２補強板３７と、をさらに備え、第１ケース３２は、第１部分４５および第２部分４６からそれぞれ突出した第３ボス対５３と、第１部分４５および第２部分４６からそれぞれ突出する第４ボス対５４と、を有し、第３固定部２４は、第３ボス対５３の間に挟まれた状態で第３固定部材４３によって固定され、第２補強板３７は、各第４ボス対５４の間に挟みこまれた状態で第４固定部材４４によって第１ケース３２に固定される。
【００４０】
この構成によれば、第１補強板３６に加えて、第２補強板３７が設けられるため、第２ケース２８（ディスプレイユニット１３）のぐらつきをより一層防止できる。また、第３固定部２４は、第３ボス対５３の間に挟まれた状態で第３固定部材４３によって第１ケース３２に固定され、第２補強板３７は、第４ボス対５４の間に挟みこまれた状態で第４固定部材４４によって第１ケース３２に固定されるため、第３ボス対５３および第４ボス対５４によって、第３固定部２４および第２補強板３７を強固に支持することができる。よって、この点からも第２ケース２８（ディスプレイユニット１３）のぐらつきがより一層防止される。
【００４１】
第４ボス対５４は、第３ボス対５３の近傍に設けられ、第２補強板３７は、第２曲げ部７３を有し、第２曲げ部７３は、第３ボス対５３と第４ボス対５４の間の位置で第２軸部２６と交差する方向に延びている。この構成によれば、第２補強板３７においてより一層強度を向上できるため、第２ケース２８（ディスプレイユニット１３）のぐらつきがより一層防止できる。
【００４２】
続いて、図１２を参照して、電子機器の第２の実施形態について説明する。第２の実施形態の電子機器の一例であるポータブルコンピュータ１１は、主要な構成において第１の実施形態と概ね共通している。このため、主として第１の実施形態と異なる部分について説明し、共通する箇所については共通の符号を付して説明を省略する。
【００４３】
第２の実施形態では、第２部分（第２カバー）４６の補強用のリブ５５は、第２部分４６（第１ケース３２）の前後方向の略全幅に亘って設けられており、第１ケース３２の第１収容部４７および第２収容部４８の両方にまたがって設けられている。このため、第１ケース３２の第２収容部４８において強度が向上されている。なお、本実施形態では、第１ケース３２の第２部分４６にのみ補強用のリブ５５が設けられているが、第１ケース３２の第１部分４５にも、第２収容部４８と、第１収容部４７との両方にまたがるように補強用のリブ５５を設けても当然良い。
【００４４】
第２の実施形態によれば、第１部分４５および第２部分４６の少なくとも一方は、その内面に補強用のリブ５５を有し、補強用のリブ５５は、第２収容部４８と、第１収容部４７との両方にまたがっている。一般に、第２収容部４８を設けると、その部分で強度の低下を生ずることとなる。上記の構成によれば、第２収容部４８において極端な強度低下を生ずることがなく、これによって安定的に第２ケース２８（ディスプレイユニット１３）を指示することができる。このため、第２ケース２８にぐらつきを生ずることをより一層防止することができる。
【００４５】
電子機器は、上記実施形態に示したポータブルコンピュータ１１に限定されるものではなく、携帯電話機、書籍や画像等を電子的に表示する電子ブックリーダーのようなその他の電子機器に対しても当然に実施可能である。
【００４６】
さらに、電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００４７】
１１…ポータブルコンピュータ、１４…第１ヒンジ部（連結部）、１５…第２ヒンジ部（連結部）、２１…第１固定部、２２…第２固定部、２３…第１軸部、２４…第３固定部、２５…第４固定部、２６…第２軸部、２７…表示パネル、２８…第２ケース（第２筐体）、３２…第１ケース（第１筐体）、３６…第１補強板、３７…第２補強板、３８…メモリカードスロット、４１…第１固定部材、４２…第２固定部材、４３…第３固定部材、４４…第４固定部材、４５…第１部分（第１カバー）、４６…第２部分（第２カバー）、４７…第１収容部、４８…第２収容部、５１…第１ボス対、５２…第２ボス対、５２Ａ…一方の第２ボス対、５２Ｂ…他方の第２ボス対、５３…第３ボス対、５４…第４ボス対、５５…補強用のリブ、６４…第１曲げ部、６７…重複部、７３…第２曲げ部
【図１】
2012137884.tif 000003
【図２】
2012137884.tif 000004
【図３】
2012137884.tif 000005
【図４】
2012137884.tif 000006
【図５】
2012137884.tif 000007
【図６】
2012137884.tif 000008
【図７】
2012137884.tif 000009
【図８】
2012137884.tif 000010
【図９】
2012137884.tif 000011
【図１０】
2012137884.tif 000012
【図１１】
2012137884.tif 000013
【図１２】
2012137884.tif 000014
【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
第１カバーおよび第２カバーを有した第１ケースと、
前記第１ケースと分離して設けられるとともに、表示パネルが収められた第２ケースと、
前記第１ケースに固定された第１固定部と、前記第２ケースに固定された第２固定部と、を有するとともに、前記第１ケースと前記第２ケースとを回動可能に連結した第１ヒンジ部と、
前記第１固定部に固定可能であるとともに、前記第１カバーの内面と前記第２カバーの内面とにそれぞれ隙間を有した位置で前記第１ケースに収められた第１補強板と、
を備え、
前記第１ケースは、電子部品が収められた第１収容部と、前記第１収容部から突出された外形を有し、前記第１固定部が収められた第２収容部と、前記第２カバーから突出したボスと、を含み、
前記第１補強板は、前記ボスに固定された接続部と、該接続部から前記ボスの突出した方向に沿って曲げられた形状を有する部分を含むとともに、前記第１収容部と、前記第２収容部との両方にまたがり、
前記第１補強板の前記接続部および前記接続部に重ねられた前記第１固定部は、第１固定部材によって前記ボスに固定された電子機器。
【請求項２】
前記第１ケースは、前記第２カバーからそれぞれ突出する複数の第２ボスを有し、前記第１補強板は、第２固定部材によって前記第２ボスに固定され、
前記第２ボスのうち少なくとも一つは、前記第１収容部に設けられた請求項１に記載の電子機器。
【請求項３】
前記第１ケースの内側に収められたメモリカードスロットをさらに備え、
前記第１補強板は、重複部を有し、前記重複部は、厚み方向において前記メモリカードスロットと重複した請求項１に記載の電子機器。
【請求項４】
前記第１カバーおよび前記第２カバーの少なくとも一方は、その内面に補強用のリブを有し、前記補強用のリブは、前記第２収容部と、前記第１収容部との両方にまたがった請求項１に記載の電子機器。
【請求項５】
前記第１補強板は、ステンレス鋼製である請求項１に記載の電子機器。
【請求項６】
前記第１ケースに固定された第３固定部と、前記第２ケースに固定された第４固定部と、を有するとともに、前記第１ケースと前記第２ケースとを回動可能に連結した第２ヒンジ部と、
前記第３固定部と一体に設けられた第２補強板と、
をさらに備え、
前記第１ケースは、
前記第２カバーから突出した第３ボスと、
前記第２カバーから突出する第４ボスと、
を有し、
前記第３固定部は、第３固定部材によって前記第３ボスに固定され、
前記第２補強板は、第４固定部材によって前記第４ボスに固定される請求項１に記載の電子機器。
【請求項７】
前記第４ボスは、前記第３ボスの近傍に設けられ、
前記第２の補強板は、前記第３ボスと前記第４ボスの間の位置で前記第４ボスの突出した方向に沿って曲げられた形状を有する部分を含む請求項６に記載の電子機器。
【請求項８】
第１部分と、ボスが突出された第２部分と、を有した第１筐体と、
前記第１筐体と分離して設けられるとともに、表示パネルが収められた第２筐体と、
前記第１筐体に固定された第１固定部と、前記第２ケースに固定された第２固定部と、を有するとともに、前記第１筐体と前記第２筐体とを回動可能に連結した連結部と、
前記第１固定部が上側に重ねられた状態で前記第１固定部と一体的に前記ボスに固定された接続部と、該接続部から前記ボスの突出した方向に沿って曲げられた形状を有する部分を含み、前記第１部分および前記第２部分に対してそれぞれ隙間を設けて前記第１ケースに収められた第１補強板と、
を備える電子機器。
【手続補正２】
【補正対象書類名】明細書
【補正対象項目名】００４６
【補正方法】変更
【補正の内容】
【００４６】
さらに、電子機器は上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
以下に、本願出願の当初の特許請求の範囲に記載された発明を付記する。
［１］
第１カバーおよび第２カバーを有した第１ケースと、
前記第１ケースと分離して設けられるとともに、表示パネルが収められた第２ケースと、
前記第１ケースに固定された第１固定部と、前記第２ケースに固定された第２固定部と、を有するとともに、前記第１ケースと前記第２ケースとを回動可能に連結した第１ヒンジ部と、
前記第１固定部に固定可能であるとともに、前記第１カバーの内面と前記第２カバーの内面とにそれぞれ隙間を有した位置で前記第１ケースに収められた第１補強板と、
を備え、
前記第１ケースは、電子部品が収められた第１収容部と、前記第１収容部から突出された外形を有し、前記第１固定部が収められた第２収容部と、を含み、
前記第１補強板は、前記第１収容部と、前記第２収容部との両方にまたがった電子機器。
［２］
前記第１ケースは、前記第１カバーおよび前記第２カバーからそれぞれ突出した第１ボス対を有し、
前記第１固定部および前記第１補強板は、前記第１ボス対の間に挟まれた状態で第１固定部材によって前記第１ケースに固定された［１］に記載の電子機器。
［３］
前記第１ヒンジ部は、前記第１固定部と前記第２固定部との間に設けられた第１軸部を有し、
前記第１補強板は、第１曲げ部を有し、前記第１曲げ部は、前記第１ボス対の近傍で前記第１軸部と交差する方向に延びた［２］に記載の電子機器。
［４］
前記第１ケースは、前記第１カバーおよび前記第２カバーからそれぞれ突出する複数の第２ボス対を有し、前記第１補強板は、前記各第２ボス対の間に挟みこまれた状態で第２固定部材によって前記第１ケースに固定され、
前記第２ボス対のうち少なくとも一つは、前記第１収容部に設けられた［３］に記載の電子機器。
［５］
前記第１ケースの内側に収められたメモリカードスロットをさらに備え、
前記第１補強板は、重複部を有し、前記重複部は、厚み方向において前記メモリカードスロットと重複した［４］に記載の電子機器。
［６］
前記第１カバーおよび前記第２カバーの少なくとも一方は、その内面に補強用のリブを有し、前記補強用のリブは、前記第２収容部と、前記第１収容部との両方にまたがった［５］に記載の電子機器。
［７］
前記第１補強板は、ステンレス鋼製である［６］に記載の電子機器。
［８］
前記第１ケースに固定された第３固定部と、前記第２ケースに固定された第４固定部と、前記第３固定部と前記第４固定部との間に設けられた第２軸部と、を有するとともに、前記第１ケースと前記第２ケースとを回動可能に連結した第２ヒンジ部と、
前記第３固定部と一体に設けられた第２補強板と、
をさらに備え、
前記第１ケースは、
前記第１カバーおよび前記第２カバーからそれぞれ突出した第３ボス対と、
前記第１カバーおよび前記第２カバーからそれぞれ突出する第４ボス対と、
を有し、
前記第３固定部は、前記第３ボス対の間に挟まれた状態で第３固定部材によって前記第１ケースに固定され、
前記第２補強板は、前記第４ボス対の間に挟みこまれた状態で第４固定部材によって前記第１ケースに固定される［７］に記載の電子機器。
［９］
前記第４ボス対は、前記第３ボス対の近傍に設けられ、
前記第２の補強板は、第２曲げ部を有し、前記第２曲げ部は、前記第３ボス対と前記第４ボス対の間の位置で前記第２軸部と交差する方向に延びた［８］に記載の電子機器。
［１０］
第１部分および第２部分を有した第１筐体と、
前記第１筐体と分離して設けられるとともに、表示パネルが収められた第２筐体と、
前記第１筐体に固定された第１固定部と、前記第２ケースに固定された第２固定部と、を有するとともに、前記第１筐体と前記第２筐体とを回動可能に連結した連結部と、
前記第１固定部に対して一体的に固定可能であるとともに、前記第１部分および前記第２部分に対してそれぞれ隙間を設けて前記第１ケースに収められた第１補強板と、
を備える電子機器。